(57)【要約】【課題】  電子体温計において、体温を測定する際の利便性を損なうことなく、ユーザにとってより見やすい表示を実現することを目的とする。【解決手段】  配列された複数のＬＥＤを備える発光部２５２と、電子体温計１００が振られたことを検出する振れ検出部２３０と、各ＬＥＤの発光を制御する表示制御部２４４と、を備え、表示制御部２４４は、更に、電子体温計１００の内部状態に関する情報または測定された前記被検者の体温に関する情報に基づいて発光ドットパターンを生成する手段と、振れ検出部２３０による検出結果に基づいて算出された、ＬＥＤの１ドット列当たりの発光時間を算出する手段と、を備え、発光部２５２が、前記生成された発光ドットパターンと、前記算出された１ドット列当たりの発光時間とに基づいて各ＬＥＤの発光を制御することを特徴とする。【選択図】図２
2010223835.tif 000002
【特許請求の範囲】
【請求項１】
被検者の体温を測定する電子体温計であって、
配列された複数の発光素子を備える発光手段と、
前記電子体温計が振られたことを検出する振れ検出手段と、
前記発光手段が備える各発光素子の発光を制御する発光制御手段と、を備え、
前記発光制御手段は、
前記電子体温計の内部状態に関する情報または測定された前記被検者の体温に関する情報に基づいて発光ドットパターンを生成する生成手段と、
前記振れ検出手段による検出結果に基づいて算出された、前記電子体温計の所定方向の振れ時間と、前記発光ドットパターンを表現するのに必要な前記所定方向の発光素子のドット列数とに基づいて、前記発光素子の１ドット列当たりの発光時間を算出する算出手段と、を備え、
前記振れ検出手段が前記電子体温計が振られたことを検出した場合に、前記生成された発光ドットパターンと、前記算出された１ドット列当たりの発光時間とに基づいて、前記各発光素子の発光を制御することを特徴とする電子体温計。
【請求項２】
被検者の体温を測定する電子体温計であって、
配列された複数の発光素子を備える発光手段と、
前記電子体温計が振られたことを検出するとともに、振れ速度がゼロとなった位置を基準位置として、該基準位置からの距離を算出する振れ検出手段と、
前記発光手段が備える各発光素子の発光を制御する発光制御手段と、を備え、
前記発光制御手段は、
前記電子体温計の内部状態に関する情報または測定された前記被検者の体温に関する情報を表現するために、前記電子体温計の振れ方向における前記発光素子のドット列から構成された発光ドットパターンであって、該各ドット列の前記基準位置からの距離が規定された発光ドットパターンを生成する生成手段と、を備え、
前記振れ検出手段により算出された距離が、前記発光ドットパターンを構成する各ドット列について規定された前記基準位置からの距離に一致した場合に、前記各発光素子を、対応するドット列に従って発光するよう制御することを特徴とする電子体温計。
【請求項３】
前記生成手段が、前記電子体温計の内部状態に関する情報に基づいて前記発光ドットパターンを生成するのか、前記被検者の体温に関する情報に基づいて前記発光ドットパターンを生成するのかを指示する指示手段を更に備えることを特徴とする請求項１または２に記載の電子体温計。
【請求項４】
前記電子体温計の内部状態に関する情報には、前記電子体温計が測定可能な状態であるか否か、または前記電子体温計による測定が正常に終了したか否かを示す情報が含まれることを特徴とする請求項３に記載の電子体温計。
【請求項５】
前記被検者の体温に関する情報には、過去に測定された複数回分の被検者の体温データ、または当該複数回分の被検者の体温データに基づいて算出された統計データ、または、当該複数回分の被検者の体温値の変化を示すグラフデータのいずれかが含まれることを特徴とする請求項３に記載の電子体温計。
【請求項６】
前記指示手段において、前記被検者の体温に関する情報に基づいて前記発光ドットパターンを生成することが指示された場合において、前記被検者の体温に関する情報に含まれるいずれのデータに基づいて前記発光ドットパターンを生成するかを切り替える切替手段を更に備えることを特徴とする請求項５に記載の電子体温計。
【請求項７】
前記発光制御手段は、前記生成手段により生成された発光ドットパターンのうち、所定の発光ドットパターンについては、異なる発光色により発光されるよう、前記各発光素子を制御することを特徴とする請求項１または２に記載の電子体温計。
【請求項８】
前記発光制御手段は、前記生成手段により生成された発光ドットパターンに含まれる所定のドットについて、異なる発光色により発光されるよう、前記各発光素子を制御することを特徴とする請求項１または２に記載の電子体温計。
【請求項９】
配列された複数の発光素子を備える発光手段と、電子体温計が振られたことを検出する振れ検出手段と、前記発光手段が備える各発光素子の発光を制御する発光制御手段と、を備え、被検者の体温を測定する電子体温計における表示制御方法であって、
前記電子体温計の内部状態に関する情報または測定された前記被検者の体温に関する情報に基づいて発光ドットパターンを生成する生成工程と、
前記振れ検出手段による検出結果に基づいて算出された、前記電子体温計の所定方向の振れ時間と、前記発光ドットパターンを表現するのに必要な前記所定方向の発光素子のドット列数とに基づいて、前記発光素子の１ドット列当たりの発光時間を算出する算出工程と、
前記振れ検出手段が前記電子体温計が振られたことを検出した場合に、前記生成された発光ドットパターンと、前記算出された１ドット列当たりの発光時間とに基づいて、前記各発光素子の発光を制御する制御工程と
を備えることを特徴とする表示制御方法。
【請求項１０】
配列された複数の発光素子を備える発光手段と、電子体温計が振られたことを検出するとともに、振れ速度がゼロとなった位置を基準位置として、該基準位置からの距離を算出する振れ検出手段と、前記発光手段が備える各発光素子の発光を制御する発光制御手段と、を備え、被検者の体温を測定する電子体温計における表示制御方法であって、
前記電子体温計の内部状態に関する情報または測定された前記被検者の体温に関する情報を表現するために、前記電子体温計の振れ方向における前記発光素子のドット列から構成された発光ドットパターンであって、該各ドット列の前記基準位置からの距離が規定された発光ドットパターンを生成する生成工程と、
前記振れ検出手段により算出された距離が、前記発光ドットパターンを構成する各ドット列について規定された前記基準位置からの距離に一致した場合に、前記各発光素子を、対応するドット列に従って発光するよう制御する制御工程と
を備えることを特徴とする表示制御方法。
【請求項１１】
請求項９または１０に記載の表示制御方法をコンピュータによって実行させるためのプログラムを格納したコンピュータ読取可能な記憶媒体。
【発明の詳細な説明】
【技術分野】
【０００１】
本発明は、被検者の体温を測定する電子体温計に関するものである。
【背景技術】
【０００２】
従来より、電子体温計にはＬＣＤ等の表示部が設けられており、測定された被検者の体温等の情報をユーザに表示することができるよう構成されている（例えば、下記特許文献１参照）。
【先行技術文献】
【特許文献】
【０００３】
【特許文献１】特開２００７−２４５３０号公報
【発明の概要】
【発明が解決しようとする課題】
【０００４】
しかしながら、近年、その表示部は、電子体温計の軽量・小型化に伴って、大きさが制約される傾向にあり、表示できる内容が限定されてしまい、代用マーク等を使用するが、ユーザにとっては、必ずしも見やすい表示となっていない。また、周辺環境が暗い場合にあっては、表示された情報を読み取ることが困難な状況となっている。
【０００５】
一方、寸法を大きくして表示内容を増やし、情報量を増すこと、また、ＬＣＤのバックライトを明るくしたりすることで、ユーザにとってより見やすい表示部を実現することは可能であるが、この場合、電子体温計の外形が大きくなったり、表示される文字が小さくなったり、消費電力が増大し電池交換が頻繁に必要になるなど、ユーザにとっての利便性が損なわれる結果となる。
【０００６】
本発明は上記課題に鑑みてなされたものであり、電子体温計において、ユーザの利便性を損なうことなく、より見やすい表示を実現することを目的とする。
【課題を解決するための手段】
【０００７】
上記の目的を達成するために、本発明に係る電子体温計は以下のような構成を備える。即ち、
被検者の体温を測定する電子体温計であって、
配列された複数の発光素子を備える発光手段と、
前記電子体温計が振られたことを検出する振れ検出手段と、
前記発光手段が備える各発光素子の発光を制御する発光制御手段と、を備え、
前記発光制御手段は、
前記電子体温計の内部状態に関する情報または測定された前記被検者の体温に関する情報に基づいて発光ドットパターンを生成する生成手段と、
前記振れ検出手段による検出結果に基づいて算出された、前記電子体温計の所定方向の振れ時間と、前記発光ドットパターンを表現するのに必要な前記所定方向の発光素子のドット列数とに基づいて、前記発光素子の１ドット列当たりの発光時間を算出する算出手段と、を備え、
前記振れ検出手段が前記電子体温計が振られたことを検出した場合に、前記生成された発光ドットパターンと、前記算出された１ドット列当たりの発光時間とに基づいて、前記各発光素子の発光を制御することを特徴とする。
【発明の効果】
【０００８】
本発明によれば、電子体温計において、ユーザの利便性を損なうことなく、より見やすい表示を実現することが可能となる。
【図面の簡単な説明】
【０００９】
【図１】本発明の第１の実施形態に係る電子体温計１００の外観構成の一例を示す図である。
【図２】本発明の第１の実施形態に係る電子体温計１００のシステム構成を示す図である。
【図３】電子体温計１００を長手方向と略直交する方向に、電子体温計１００の姿勢を維持した状態で往復で振られた場合に、発光部２５２の発光によってユーザに視認される表示内容の一例を示した図である。
【図４】信号処理部２３２における信号処理の内容を説明するための図である。
【図５】電子体温計１００におけるモードの遷移を示した図である。
【図６】各モードにおいて可視化される可視化情報の一例を示す図である。
【図７】表示制御部２４４において生成された発光ドットパターンの一例を示す図である。
【図８】電子体温計１００の体温測定処理の流れを示すフローチャートである。
【図９】電子体温計１００の可視化情報制御処理の流れを示すフローチャートである。
【図１０】電子体温計１００の可視化処理の流れを示すフローチャートである。
【図１１】表示制御部２４４における、発光開始から発光完了までの発光制御処理の内容を説明するための図である。
【図１２】表示制御部２４４における、発光開始から発光完了までの発光制御処理の内容を説明するための図である。
【図１３】表示制御部２４４における、発光開始から発光完了までの発光制御処理の内容を説明するための図である。
【図１４】信号処理部２３２における信号処理の内容を説明するための図である。
【図１５】表示制御部２４４において生成された発光ドットパターンの一例を示す図である。
【図１６】表示制御部２４４における、発光開始から発光完了までの発光制御処理の内容を説明するための図である。
【図１７】表示制御部２４４における、発光開始から発光完了までの発光制御処理の内容を説明するための図である。
【図１８】表示制御部２４４における、発光開始から発光完了までの発光制御処理の内容を説明するための図である。
【図１９】測定された体温を発光部２５２において可視化するための、表示制御部２４４における可視化処理の流れを示すフローチャートである。
【発明を実施するための形態】
【００１０】
以下、本発明の一実施形態について図面を参照しながら説明する。
【００１１】
１．電子体温計の外観構成
図１は、本発明の第１の実施形態に係る電子体温計１００の外観構成の一例を示す図である。
【００１２】
図１において、１０１は、被検者の体温に関する情報を表示する表示部であり、例えば、ＬＣＤ等により構成されている。
【００１３】
１０２は発光部であり、ＬＥＤ等の発光素子が電子体温計１００の長手方向に一列に配列されている。なお、図１の例では、発光部１０２としてＬＥＤが７個配列された場合について図示しているが、発光部１０２に含まれるＬＥＤの数は７個に限られない。また、図１の例では、発光部１０２としてＬＥＤを１列に配列した場合について図示しているが、ＬＥＤの配列数は１列に限られず、複数列であってもよい。
【００１４】
１０３はエンドキャップであり、内蔵された温度計測部（詳細は後述）に対して被検者の体温が伝導しやすいように、ステンレスなどの金属により構成されている。
【００１５】
１０４はＯＮ／ＯＦＦスイッチであり、体温の測定を開始する際、又は体温の測定を終了した後に押すことで、電子体温計１００の電源を制御する。
【００１６】
１０５、１０６は、発光部１０２が発光することにより可視化される情報を切り替えるための操作ボタンであり、１０５は測定モードボタン、１０６はデータ表示モードボタンである。
【００１７】
測定モードボタン１０５は、体温測定に際しての電子体温計１００の内部状態に関する情報を可視化するためのモードであり、体温測定を行う際に用いられる。データ表示モードボタン１０６は、電子体温計１００による過去の体温測定の結果に基づいて得られた体温に関する情報（所定のメモリに格納された情報。詳細は後述）を可視化するためのモードである。
【００１８】
１０７は切り替えボタンである。データ表示モードボタン１０６が押下され、データ表示モードに移行した後に、切り替えボタン１０７が押下されると、押下された回数に対応するメモリに格納された体温に関する情報が読みだされ、発光部１０２において、可視化される。
【００１９】
２．電子体温計のシステム構成
次に、電子体温計のシステム構成について図２を参照しながら説明する。
【００２０】
図２は、本発明の第１の実施形態に係る電子体温計１００のシステム構成を示す図である。
【００２１】
電子体温計１００は、電源部２１０と温度計測部２２０と振れ検出部２３０と演算制御部２４０と、出力部２５０と、ブザー２６０と、操作部２７０とに大別することができる。
【００２２】
電源部２１０は、従来の使い捨て式又は充電式の電池を内蔵しており、電子体温計１００の各部に電源を供給する。
【００２３】
温度計測部２２０は、サーミスタ、コンデンサ、測温用ＣＲ発振回路等から構成されており、サーミスタにより検出された温度を発振信号として出力する。出力された発振信号はカウンタ２４５においてカウントされることで、デジタル量として出力される。なお、温度計測部２２０の構成は一例であって、これに限定されるものではない。
【００２４】
演算制御部２４０は、体温測定に必要なパラメータを格納したＥＥＰＲＯＭ２４１、計測した温度を時系列で記憶するためのＲＡＭ２４２、予測式の体温測定プログラム等を格納したＲＯＭ２４３、出力部２５０を制御するための表示制御部２４４、温度計測部２２０より出力された発振信号をカウントするカウンタ２４５、ＲＯＭ２４３の体温測定プログラムに従いＥＥＰＲＯＭ２４１に格納されたパラメータに従って演算を行う演算処理部２４６、カウンタ２４５や表示制御部２４４を制御する制御回路２４７等を備える。
【００２５】
ブザー２６０は、体温測定が終了したことを、鳴動により被検者に知らせる。
【００２６】
操作部２７０は、発光部１０２が発光することにより可視化される情報を切り替えるための操作部であり、測定モードボタン２７１（図１の測定モードボタン１０５に対応する）、データ表示モードボタン２７２（図１のデータ表示モードボタン１０６に対応する）、切り替えボタン２７３（図１の切り替えボタン１０７に対応する）を備える。
【００２７】
測定モードボタン２７１が押下されることにより、測定モードに移行し、電子体温計１００の内部状態に関する情報を可視化することが可能となる。また、データ表示モードボタン２７２が押下されることにより、データ表示モードに移行し、体温に関する情報を可視化することが可能となる。更に、切り替えボタン２７３が押下されることにより、押下回数に応じて、複数の体温に関する情報のいずれかを可視化することが可能となる。
【００２８】
なお、本実施形態における電子体温計１００は、電源がＯＮされると、測定モードにより起動されるよう設定されているものとする。
【００２９】
振れ検出部２３０は、モーション・センサ２３１と、信号処理部２３２とを備える。モーション・センサ２３１としては、例えば、加速度センサや傾斜センサ等が用いられるものとする。
【００３０】
信号処理部２３２は、モーション・センサ２３１が検出した電子体温計１００の振れを信号として受信し、当該信号に基づいて、発光部２５２の発光開始のタイミングならびに各発光素子の１ドット列当たりの発光時間を規定するための信号（振れ方向の変更タイミングを示す信号（詳細は後述））を表示制御部２４４に出力する。
【００３１】
出力部２５０は、従来の表示方法（ＬＣＤ等）で体温に関する情報を表示する表示部２５１と、ユーザの目の残像効果を利用して体温に関する情報を可視化する発光部２５２とを含む。
【００３２】
表示部２５１（図１の表示部１０１に対応する）は、ＬＣＤ等により構成され、表示制御部２４４から受信した電子体温計１００の体温値（体温データ）を表示する。
【００３３】
発光部２５２（図１の発光部１０２に対応する）では、電子体温計１００が往復で振られた（往復運動した）際に、電子体温計１００の内部状態に関する情報または被検者の体温に関する情報をユーザが視認できるように、表示制御部２４４にて生成された発光ドットパターン、発光時間及び発光開始タイミング／発光完了タイミングに基づいて各発光素子２５２Ａが発光する（詳細は後述）。つまり、表示制御部２４４は、表示部２５１の表示を制御する表示制御機能と発光部２５２の各発光素子２５２Ａの発光を制御する発光制御機能とを有している。
【００３４】
なお、発光部２５２の各発光素子２５２Ａが発光している状態で、ユーザが電子体温計１００を往復で振ることで、ユーザは、目の残像効果の影響により、電子体温計１００の内部状態に関する情報または被検者の体温に関する情報を空間上において視認することができる。
【００３５】
なお、電子体温計１００のように発光部１０２を備える構成の場合、必ずしも表示部２５１を設ける必要はなく、表示部２５１は省略しても良い。このように、表示部２５１を省略することで、電子体温計１００では、表示部を配するための幅又は大きさを維持する必要が無くなるため、外形寸法を更に小さくすることが可能となる。
【００３６】
３．発光部の発光により視認される表示内容
次に、電子体温計１００の発光部２５２の発光素子列の発光により視認される表示内容について、図面を参照しながら説明する。
【００３７】
図３は電子体温計１００を長手方向と略直交する方向（以下、横方向と称す）に、電子体温計１００の姿勢を維持した状態で、電子体温計１００を往復で振った場合に、発光部２５２の各発光素子２５２Ａの発光によってユーザに視認される表示内容の一例を示した図である。
【００３８】
発光部２５２では、電子体温計１００が横方向に往復で振られているうちの、所定方向の振れ（ここでは、紙面左側から右側への振れ、以下、右振れと称す）の間、電子体温計１００の内部状態に関する情報または被検者の体温に関する情報に対応する発光ドットパターンと、後述する１ドット列あたりの発光時間とに基づいて、各発光素子２５２Ａが発光する。これにより、その発光を見たユーザは、目の残像効果の影響により、該電子体温計１００の内部状態に関する情報または被検者の体温に関する情報を視認することができる。
【００３９】
なお、図３の例は、電子体温計１００を横方向に往復で振ることで、振れ範囲内の空間上に、“３８．５℃”という表示が浮かび上がって見える様子を示している。
【００４０】
図３に示すように、電子体温計１００の発光部２５２を構成する各発光素子２５２Ａは、電子体温計１００の右振れが完了するまでの間に、それぞれ対応する発光タイミングにおいて発光する。なお、本実施形態では紙面右側から左側への振れ（以下、左振れと称す）の間は、各発光素子２５２Ａは発光しないものとする。
【００４１】
このように、各発光素子２５２Ａは、対応する発光タイミングにおいて、一瞬（１ドット列当たりの発光時間分）発光するだけであるが、ユーザの目の残像効果の影響により、それぞれの発光タイミングで発光した光が残像として残るため、ユーザには、連続した文字として視認されることとなる。以下、電子体温計１００を横方向に往復で振った場合の、信号処理部２３２及び表示制御部２４４における処理の詳細について説明する。
【００４２】
４．信号処理部における信号処理
まず、発光部２５２における発光開始／発光完了のタイミングならびに各発光素子の発光時間を規定するための信号（振れ方向の変更タイミングを示す信号）を出力する信号処理部２３２における信号処理の内容について説明する。
【００４３】
図４は、信号処理部２３２における信号処理の内容を説明するための図である。図４の（Ａ−１）は、モーション・センサ２３１が傾斜センサであった場合に、ユーザによって電子体温計１００が往復で振られた際のモーション・センサ２３１の出力を示した図である。また、図４の（Ａ−２）は、モーション・センサ２３１が加速度センサであった場合に、ユーザによって電子体温計１００が往復で振られた際のモーション・センサ２３１の出力を示した図である。
【００４４】
上述したように、電子体温計１００では、横方向の往復の振れのうち、右振れの間、発光部２５２の各発光素子の発光を制御する。これに対応するため、信号処理部２３２では、左振れしていた電子体温計１００の振れ方向が右振れに変更されたタイミング（振れ方向の変更タイミング）を検出する。
【００４５】
図４の（Ａ−１）に示すように、本実施形態に係る傾斜センサでは、左振れしていた電子体温計１００の振れ方向が、右振れに変更された場合に、これを検出し、ＯＮ信号として出力するよう構成されている。
【００４６】
このため、信号処理部２３２では、傾斜センサより出力されたＯＮ信号を検出し、これを表示制御部２４４に出力する（図４の（Ｂ）参照）。
【００４７】
一方、モーション・センサ２３１が加速度センサであった場合には、図４の（Ａ−２）に示すように、電子体温計１００の往復の振れに応じて、正弦波状の信号が出力される。
【００４８】
このため、信号処理部２３２では、加速度センサより出力された信号を微分処理し、微分処理の結果がゼロになるタイミング（つまり、加速度センサより出力された信号の傾きがゼロになるタイミング）を検出する。
【００４９】
ここで、加速度センサより出力された信号の傾きがゼロになるタイミングとしては、左振れしていた電子体温計１００の振れ方向が、右振れに変更されたタイミングと、右振れしていた電子体温計１００の振れ方向が、左振れに変更されたタイミングの、２種類がある。
【００５０】
このうち、信号処理部２３２では、左振れしていた電子体温計１００の振れ方向が、右振れに変更されたタイミングのみを抽出して、表示制御部２４４に出力する（図４の（Ｂ）参照）。
【００５１】
なお、本発明は、モーション・センサ２３１として上述のような傾斜センサや加速度センサが用いられることに限定されるものではなく、例えば角速度センサ（ジャイロスコープ）のように、電子体温計１００の振れを検出できる他のセンサが用いられてもよい。
【００５２】
５．電子体温計におけるモード遷移
次に、電子体温計１００におけるモードの遷移について図５及び図６を用いて説明する。図５は、電子体温計１００におけるモードの遷移を示す図である。また、図６は、測定モード及びデータ表示モードにおいてそれぞれ可視化される可視化情報の一例を示す図である。
【００５３】
上述したように、電子体温計１００は、電源がＯＮされると、電子体温計の内部状態に関する情報を可視化するための測定モードにより起動される。
【００５４】
図６の（Ａ）に示すように、電子体温計１００の内部状態としては、測定準備状態と、測定準備完了状態と、測定処理終了状態とがある。
【００５５】
ここで、測定準備状態とは、電子体温計１００が起動され、測定準備が完了するまでの間の状態をいう。測定準備状態では、体温測定を行うことができないため、ユーザに対して体温測定を待たせる必要がある。このため、測定準備状態においては、可視化情報として「ＷＡＩＴ」が設定される。
【００５６】
測定準備完了状態とは、電子体温計１００の起動が完了し、体温測定ができる状態をいう。測定準備完了状態では、体温測定を行うことができるため、ユーザに対しては体温測定が可能である旨を伝える必要がある。このため、測定準備完了状態においては、可視化情報として「ＯＫ」が設定される。
【００５７】
測定処理終了状態とは、電子体温計１００による体温測定が終了した状態をいう。測定処理終了状態としては、体温測定が正常に終了した場合と、体温測定が正常に終了しなかった場合とがある。このため、測定処理終了状態として、体温測定が正常に終了した場合にあっては、測定結果である体温値（体温データ）を可視化情報として設定する。一方、体温測定が正常に終了しなかった場合にあっては、可視化情報として「ＥＲＲＯＲ」を設定する。
【００５８】
なお、電子体温計１００の内部状態は、図６の（Ａ）に限定されるものではない。また、各状態において可視化情報として設定される文字は、図６の（Ａ）に限定されるものではなく、内部状態を示す情報であれば、他の文字、記号であってもよい。
【００５９】
図５に戻る。起動後、測定モード（測定準備状態）にあった電子体温計１００は、測定準備が完了すると、自動的に測定モード（測定準備完了状態）に移行する。さらに、被検者の体温測定が開始され、体温測定処理が完了すると、自動的に測定モード（測定処理終了状態）に移行する。
【００６０】
なお、測定モード中のいずれの状態においても、データ表示モードボタン１０６が押下されると、データ表示モードに移行する。データ表示モードでは、電子体温計１００の表示制御部２４４に配された不図示のメモリ（メモリ１〜メモリｎ）のいずれかに格納されている体温に関する情報を、切り替えボタン１０７の押下に応じて、順次、可視化情報として設定していく。
【００６１】
データ表示モードボタン１０６が押下されると、メモリ１に格納されている体温に関する情報が可視化情報として設定され、次に、切り替えボタン１０７が１回押下されると、メモリ２に格納されている体温に関する情報が可視化情報として設定される。
【００６２】
更に、切り替えボタン１０７が１回押下されると（つまり、合計で２回押下されると）、メモリ３に格納されている体温に関する情報が可視化情報として設定される。以降、切り替えボタン１０７の押下回数に対応するメモリｎに格納されている体温に関する情報が、順次、可視化情報として設定されていく。そして、メモリｎに格納されている体温に関する情報が可視化情報として設定された後に、再び、切り替えボタン１０７が押下された場合には、再びメモリ１に格納されている体温に関する情報が可視化情報として設定されることとなる。
【００６３】
図６の（Ｂ−１）は、データ表示モードにおいて表示される可視化情報の一例を示している。図６の（Ｂ−１）の例は、体温に関する情報として、最新の測定結果、１回前の測定結果、・・・４回前の測定結果が、それぞれ、メモリ１〜メモリ５に格納されていることを示している。このため、切り替えボタン１０７が押下されると、可視化情報として、３６．５℃、３７．０℃、３７．５℃、３８．０℃、３９．０℃が順次設定されていくこととなる。
【００６４】
図６の（Ｂ−２）は、データ表示モードにおいて表示される可視化情報の他の一例を示している。図６の（Ｂ−２）の例は、体温に関する情報として、最新の測定結果、１回前の測定結果、・・・４回前の測定結果、測定結果のトレンドグラフが、それぞれ、メモリ１〜メモリ６に格納されていることを示している。
【００６５】
このため、切り替えボタン１０７が押下されると、可視化情報として、３６．５℃、３７．０℃、３７．５℃、３８。０℃、３９．０℃、トレンドグラフが順次設定されていくこととなる。
【００６６】
なお、図６の（Ｂ−１）、（Ｂ−２）に示す可視化情報はあくまで一例であり、本発明はこれに限定されるものではない。例えば、体温に関する情報は、体温測定処理により得られた体温値に基づいて算出されるあらゆるデータ（複数の体温値の平均値、分散値、最大値、最小値等の統計データ）、ならびにあらゆるグラフ（棒グラフ、折れ線グラフ、分布グラフ等のグラフデータ）が含まれるものとする。また、体温に関する情報が格納されるメモリの数も、特に限定されるものではない。
【００６７】
再び、図５に戻る。データ表示モードにおけるいずれの状態においても、測定モードボタン１０５が押下されると、測定モード（測定準備状態）に移行する。同様に、測定モード中のいずれの状態においても、測定モードボタン１０５が押下されると、測定モード（測定準備状態）に移行する。
【００６８】
６．表示制御部において生成される発光ドットパターン
次に、表示制御部２４４において生成される発光ドットパターンについて説明する。図７は、表示制御部２４４において生成される発光ドットパターンの一例を示す図である。
【００６９】
図７に示すように、発光ドットパターンは、発光部２５２の各発光素子により可視化される仮想的な表示領域における表示であり、配列された発光素子の数と、所定の方向に振られている間の発光素子の発光回数であるドット列数とにより規定される。
【００７０】
図７において、黒い丸及び白い丸は、電子体温計１００が横方向の振れに伴って移動した場合の、各発光タイミングにおける発光素子の位置を示している。本実施形態では、１文字（ただし、「点」は除く）を表現するのに、横方向５ドットと縦方向７ドット（７つの発光素子）とを用いるものとする。また、横方向の文字と文字の間には、２ドット列数分の発光素子の空白が設けられているものとする。
【００７１】
このため、図７（Ａ）に示すように、内部状態に関する情報として、例えば“ＷＡＩＴ”の４文字（“Ｗ”、“Ａ”、“Ｉ”、“Ｔ”）を可視化するためには、
（１文字あたりの横方向ドット列数（＝５ドット））×４文字
＋（空白列のドット列数（＝２ドット））×（４文字＋１）
＝３０ドット列数が必要となる。
【００７２】
また、図７（Ｂ）に示すように、体温に関する情報として、例えば“３８．５℃”の５文字（“３”、“８”、“．”、“５”及び“℃”）を可視化するためには、
（１文字あたりの横方向ドット列数（＝５ドット））×４文字
＋（「点」の横方向ドット列数（＝１ドット））×１文字
＋（空白列のドット列数（＝２ドット））×（５文字＋１）
＝３３ドット列数が必要となる。
【００７３】
また、図７（Ｃ）に示すように、体温に関する情報として、例えば、５回分の測定結果のトレンドグラフを可視化するためには、
（１つの棒グラフあたりの横方向ドット列数（＝５ドット））×５回
＋（空白列のドット列数（＝２ドット））×２
＝２９ドット列数が必要となる。
【００７４】
つまり、電子体温計１００の右振れが開始してから完了するまでの間に、各発光素子は、３０ドット列数、または３３ドット列数、または２９ドット列数からなる発光ドットパターンを出力することとなる。このため、１ドット列数分の発光時間（つまり、各発光素子の１ドット列当たりの発光時間ｔ）は、電子体温計１００の右振れが開始してから完了するまでにかかる振れ時間をＴとした場合、Ｔ／３０、またはＴ／３３、またはＴ／２９となる。
【００７５】
ここで、電子体温計１００の右振れが開始してから完了するまでにかかる振れ時間Ｔは、モーション・センサ２３１の出力に基づいて信号処理部２３２が検出した検出結果（振れ方向の変更タイミング）に基づいて算出することができる。
【００７６】
具体的には、信号処理部２３２から出力されたＯＮ信号とＯＮ信号との間隔の１／２を算出することにより求めることができる。
【００７７】
なお、モーション・センサ２３１が加速度センサの場合には、左方向に振られた電子体温計１００の振れ方向が、右方向の振れに変更された振れ方向の変更タイミングと、右方向に振られた電子体温計１００の振れ方向が左方向の振れに変更された振れ方向の変更タイミングとの間隔を算出することができるため、これに基づいて求めるよう構成してもよい。
【００７８】
このように、表示制御部２４４では、電子体温計の内部状態に関する情報または被検者の体温に関する情報を可視化するために以下のように動作する。
・発光部２５２において可視化すべき可視化情報を受信し、これを表現するための発光ドットパターンを生成する。
・信号処理部２３２からの信号の出力間隔に基づいて算出された振れ時間Ｔと、可視化情報を表現するのに必要な横方向の発光素子のドット列数とに基づいて、次回の右振れにおける１ドット列当たりの発光時間ｔを算出する。
・信号処理部２３２からの信号（振れ方向の変更タイミング）の出力を発光開始タイミングとして、各発光素子を、生成された発光ドットパターンと、算出された１ドット列数あたりの発光時間ｔとに基づいて発光させる。
【００７９】
７．電子体温計の体温測定手順
続いて、図８を用いて電子体温計１００における体温測定処理の流れを説明する。図８は電子体温計１００の体温測定処理の流れを示すフローチャートである。なお、本実施形態では、例えば、特開２００７−２４５３０号公報などに開示された予測式の体温測定方法を用いて体温測定を行うものとする。
【００８０】
ＯＮ／ＯＦＦスイッチ１０４が押下されると、電子体温計１００の電源がＯＮとなり、ステップＳ８０１に進む。
【００８１】
ステップＳ８０１では、電子体温計１００の初期化が行われ、温度計測部２２０による温度値の検出が開始される。例えば、０．５秒おきに温度計測部２２０を用いて温度値が検出される。
【００８２】
ステップＳ８０２では、例えば、前回実測値（つまり０．５秒前の実測値）からの上昇が所定の値（例えば１度）以上となる温度値を計測した時点を、予測式の基準点（ｔ＝０）と設定し、ＲＡＭ２４２に特定タイミングで実測値のデータ（時系列データ）として記憶を開始する。つまり、急激な温度上昇を検出することにより、被検者の所定の測定部位に電子体温計１００が装着されたとみなす。
【００８３】
ステップＳ８０３からステップＳ８０７までは、周知の予測式の体温測定方法を用いて体温を予測する処理であり、その詳細に関しては、例えば、特開２００７−２４５３０号公報などに記載されているため、ここでは簡潔に説明することとする。
【００８４】
ステップＳ８０３では、測定中に計測温度の低下が観測されたか否かを判断する。所定の温度低下が見られる場合は、ステップＳ８１２に進み、所定の温度低下が見られない場合にはステップＳ８０４に進む。
【００８５】
ステップＳ８１２では、計測されたデータの補正処理を行う。補正処理が正常に行われた場合にはステップＳ８０２に戻る。一方、補正処理が正常に終了しない場合には、ステップＳ８１３に進む。ステップＳ８１３では、体温測定が正常に終了しなかったとして、エラーを告げるブザー２６０を鳴動した後、体温測定処理を終了する。
【００８６】
一方、ステップＳ８０４では、ステップＳ８０２で記憶されたデータを用いて、前述した予測式の体温測定方法を用いて逐次予測値を導出（例えば、０．５秒間隔で導出）する。
【００８７】
ステップＳ８０５では、基準点（ｔ＝０）から所定時間（例えば１６秒）だけ経過した後、例えばステップＳ８０４で導出した複数の群に対応するそれぞれの予測値の変化に基づいて群分け判定を行う。
【００８８】
ステップＳ８０６では、ステップＳ８０５によって決定された群以外の演算を停止し、判定された群における予測演算を引き続き所定の時間導出する。
【００８９】
ステップＳ８０７では、基準点（ｔ＝０）から所定時間（例えば３０秒）だけ経過した時点で、ステップＳ８０６における処理の結果導出された一定区間（例えばｔ＝２５〜３０秒）における予測値があらかじめ設定された予測成立条件を満たすかどうかをチェックする。具体的には、所定の範囲（例えば０．１度）に収まっているか否かをチェックする。
【００９０】
ステップＳ８０７において予測成立条件を満たしたと判定された場合には、ステップＳ８０８に進む。一方、予測成立条件を満たさない場合は、ステップＳ８１４に進む。
【００９１】
ステップＳ８１４では、例えばタイマーなどで計測開始から所定時間（例えば４５秒）が経過したか否かを監視し、経過した時は、強制的に予測を成立させ、ステップＳ８０８に進む。つまり、その時点で導出されている予測値をそのまま最終予測値と見なす。
【００９２】
ステップＳ８０８では、体温測定が正常に終了したものとして予測成立を告げるブザー２６０を鳴らし、ステップＳ８０９に進む。ステップＳ８０９では、導出された体温の予測値を測定結果として出力部２５０の表示部２５１に表示する。
【００９３】
ステップＳ８１０では、導出された体温の予測値を測定結果として不図示のメモリ（メモリ１）に格納する。
【００９４】
ステップＳ８１１では、体温測定終了の指示を受け付けたか否かを判定する。体温測定終了の指示は、例えば、ＯＮ／ＯＦＦスイッチ１０４が押下されたか否かに基づいて判定してもよいし、ステップＳ８０９における表示から一定時間経過した場合に体温測定終了の指示があったとみなすようにしてもよい。以上のステップを経て、体温測定処理を終了し、電源をＯＦＦにする。
【００９５】
８．可視化情報制御処理の流れ
次に、可視化情報として設定すべき情報を制御する可視化情報制御処理の流れについて説明する。図９は、可視化情報制御処理の流れを示すフローチャートであり、上記体温測定処理と並行して実行される。
【００９６】
ＯＮ／ＯＦＦスイッチ１０４が押下されると、電子体温計１００の電源がＯＮとなり、ステップＳ９０１に進む。
【００９７】
ステップＳ９０１では、現在のモードについて判定する。ステップＳ９０１において測定モードであると判定された場合には、ステップＳ９０２に進み、測定準備が完了したか否かを判定する。
【００９８】
ステップＳ９０２において測定準備が完了していないと判定された場合には、ステップＳ９０３に進み、可視化情報として“ＷＡＩＴ”を設定する。一方、ステップＳ９０２において測定準備が完了したと判定された場合には、ステップＳ９０４に進み、可視化情報として、“ＯＫ”を設定する。
【００９９】
更に、ステップＳ９０５では、体温測定処理が正常終了したか否かを判定する。ステップＳ９０５において体温測定処理が正常終了したと判定された場合には、ステップＳ９０６に進み、可視化情報として体温値を設定する。一方、ステップＳ９０５において体温測定処理が正常終了しなかったと判定された場合には、ステップＳ９０７に進み、可視化情報として“ＥＲＲＯＲ”を設定する。
【０１００】
ステップＳ９１１では、いずれかのボタン（測定モードボタンまたはデータ表示ボタン）が押下されたか否かを判定し、押下されたと判定された場合には、ステップＳ９０１に戻る。一方、押下されていないと判定された場合には、ステップＳ９１２において、体温測定終了の指示を受け付けたか否かを判定する。
【０１０１】
ステップＳ９１２において体温測定終了の指示を受け付けていないと判定された場合には、ステップＳ９０１に戻る。一方、ステップＳ９１２において体温測定終了の指示を受け付けたと判定された場合には、可視化情報制御処理を終了する。
【０１０２】
一方、ステップＳ９０１において、データ表示モードであると判定された場合には、ステップＳ９０８に進み、メモリ（メモリ１）に格納された体温に関する情報を可視化情報として設定する。
【０１０３】
更に、ステップＳ９０９では、切り替えボタン１０７が押下されたか否かを判定し、押下されたと判定された場合には、ステップＳ９１０に進む。
【０１０４】
ステップＳ９１０では、メモリ（メモリ２〜ｎ）に格納された体温に関する情報のうち、切り替えボタン１０７の押下回数に応じたメモリに格納された体温に関する情報を可視化情報として設定し、ステップＳ９１３に進む。
【０１０５】
一方、ステップＳ９０９において、切り替えボタン１０７が押下されていないと判定された場合には、ステップＳ９１３に進む。
【０１０６】
ステップＳ９１３では、いずれかのボタン（測定モードボタンまたはデータ表示ボタン）が押下されたか否かを判定し、押下されたと判定された場合には、ステップＳ９０１に戻る。一方、押下されていないと判定された場合には、ステップＳ９１４において、電源ＯＦＦの指示を受け付けたか否かを判定する。電源ＯＦＦの指示は、例えば、ＯＮ／ＯＦＦスイッチ１０４が押下されたか否かに基づいて判定してもよいし、体温計１００に対する操作（ボタン１０５〜１０７の押下や体温計１００の振り操作）が行われないまま一定時間経過した場合に、電源ＯＦＦの指示があったとみなすようにしてもよい。
【０１０７】
ステップＳ９１４において電源ＯＦＦの指示を受け付けていないと判定された場合には、ステップＳ９０９に戻る。一方、ステップＳ９１４において電源ＯＦＦの指示を受け付けたと判定された場合には、可視化情報制御処理を終了する。
【０１０８】
９．可視化処理の流れ
次に、図１０を用いて、設定された可視化情報を発光部２５２において可視化するための表示制御部２４４における処理の流れについて説明する。図１０に示すフローチャートは、ＯＮ／ＯＦＦスイッチ１０４が押下されると、体温測定処理及び可視化情報制御処理と並行して実行される。
【０１０９】
ステップＳ１００１では、振れ検出部２３０において、電子体温計１００の振れを検出したか否かを判定する。ステップＳ１００１において、振れを検出したと判定した場合には、ステップＳ１００２に進む。
【０１１０】
ステップＳ１００２では、現在設定されている可視化情報を取得する。ステップＳ１００３では、信号処理部２３２からの信号の出力間隔に基づいて、電子体温計１００の右振れの振れ時間Ｔを算出する。
【０１１１】
ステップＳ１００４では、取得された可視化情報に基づいて、発光部２５２において可視化すべき発光ドットパターンを生成する。
【０１１２】
ステップＳ１００５では、ステップＳ１００３において算出された右振れの振れ時間Ｔと、ステップＳ１００４において生成された発光ドットパターンを表現するのに必要な右振れ方向の発光素子のドット列数とに基づいて、１ドット列当たりの発光時間ｔを算出する。
【０１１３】
ステップＳ１００６では、信号処理部２３２からの信号の出力を受信したタイミングで、生成された発光ドットパターンと、算出された１ドット列当たりの発光時間ｔとに基づいて、各発光素子の発光制御を開始する。
【０１１４】
ステップＳ１００７では、信号処理部２３２からの信号の出力が継続しているか否かを判定し、継続していると判定された場合には、ステップＳ１００２に戻る。
【０１１５】
一方、信号処理部２３２からの信号の出力がないと判定された場合には、可視化処理を終了する。
【０１１６】
１０．発光開始から発光完了までの発光制御処理の内容
次に、発光開始から発光完了までの表示制御部２４４における発光制御処理の内容について説明する。
【０１１７】
図１１は、表示制御部２４４における、発光開始から発光完了までの発光制御処理の内容を説明するための図である。図１１において、（Ａ）は振れ方向の変更タイミングにおいて発光を開始した状態を示している。また、（Ｂ）及び（Ｃ）は、振れ時間Ｔの１／３が経過した状態及び２／３が経過した状態をそれぞれ示している。さらに、（Ｄ）は振れ時間Ｔが経過し、発光が完了した状態を示している。
【０１１８】
図１１に示すように、各発光素子は、発光ドットパターンのうち、発光開始タイミングからの経過時間に対応するドット列に基づく発光を行うように制御される。
【０１１９】
同様に、図１２は、表示制御部２４４における、発光開始から発光完了までの発光制御処理の内容を説明するための図である。図１１との違いは、図１２の場合、振れ時間Ｔが図１１の振れ時間Ｔより小さい点である。
【０１２０】
なお、振れ時間Ｔが小さい場合とは、振れ速度が同じで振れ幅が小さい場合と、振れ幅が同じで振れ速度が大きい場合とが考えられるが、どちらの場合も発光制御処理の内容としては同じである。このため、図１２では、振れ速度が同じで振れ幅が小さい場合について示している。
【０１２１】
図１２に示すように、振れ時間Ｔが図１１の振れ時間Ｔより小さい場合、発光時間ｔは、図１１の発光時間よりも短くなり、結果として、表現される文字の大きさ（横方向の大きさ）は、小さくなる。
【０１２２】
なお、振れ幅が同じで振れ速度が大きい場合には、発光時間ｔは、図１１の発光時間よりも短くなるが、振れ速度が大きい分、短い発光時間の間に移動する距離が大きくなるため、結果として、表現される文字の大きさ（横方向の大きさ）は、図１１の場合と同じとなる。
【０１２３】
同様に、図１３は、表示制御部２４４における、発光開始から発光完了までの発光制御処理の内容を説明するための図である。図１１との違いは、図１３の場合、振れ時間Ｔが図１１の振れ時間Ｔより大きい点である。
【０１２４】
なお、振れ時間Ｔが大きい場合とは、振れ速度が同じで振れ幅が大きい場合と、振れ幅が同じで振れ速度が小さい場合とが考えられるが、どちらの場合も発光制御処理の内容としては同じである。このため、図１３では、振れ速度が同じで振れ幅が大きい場合について示している。
【０１２５】
図１３に示すように、振れ時間Ｔが図１１の振れ時間Ｔより大きい場合、発光時間ｔは、図１１の発光時間よりも長くなり、結果として、表現される文字の大きさ（横方向の大きさ）は、大きくなる。
【０１２６】
なお、振れ幅が同じで振れ速度が小さい場合には、発光時間ｔは、図１１の発光時間よりも長くなるが、振れ速度が小さい分、長い発光時間の間に移動できる距離は小さくなるため、結果として、表示される文字の大きさ（横方向の大きさ）は、図１１の場合と同じとなる。
【０１２７】
このように、各発光素子は、信号処理部２３２からの信号（振れ方向の変更タイミングを示す信号）の出力を発光開始タイミングとして、それぞれのタイミングで発光すべき発光ドットパターンを、算出された１ドット列当たりの発光時間分だけ発光させることで、電子体温計１００では右振れが完了するまでの間に、可視化情報を可視化させることができる。つまり、ユーザが振った場合の各振れ時間のばらつきを考慮して可視化情報を可視化させることができる。
【０１２８】
以上の説明から明らかなように、本実施形態に係る電子体温計１００では、配列された複数の発光素子を備える発光部２５２と、電子体温計１００の振れを検出するモーション・センサ２３１と、各発光素子の発光を制御する表示制御部２４４とを備える構成とした。
【０１２９】
そして、電子体温計が横方向に往復で振られている際に、各発光素子の発光を適切に制御することで、電子体温計１００の内部状態に関する情報または被検者の体温に関する情報を空間上で視認できる構成とした。
【０１３０】
この結果、電子体温計において、体温を測定する際の利便性を損なうことなく、ユーザにとってより見やすい表示を実現することが可能となった。特に、当該電子体温計によれば、体温値以外の情報についても、容易に視認できるようになる。
【０１３１】
［第２の実施形態］
上記第１の実施形態では、発光素子として１種類の発光素子を用い、電子体温計の内部状態に関する情報または被検者の体温に関する情報を単色で可視化する構成としたが、本発明はこれに限定されない。
【０１３２】
互いに発光色の異なる複数の発光素子を組み合わせ、複数の発光色を放射できるように構成し、例えば、電子体温計の内部状態に関する情報と、被検者の体温に関する情報とで、異なる発光色により可視化処理させるようにしてもよい。
【０１３３】
あるいは、可視化情報を、それぞれ異なる発光色により、または特定の可視化情報についてのみ異なる発光色により可視化するように構成してもよい。
【０１３４】
あるいは、特定の発光ドットパターンのうち、特定のドットについて、異なる発光色により発光するよう構成してよい（つまり、一つの発光ドットパターンを、複数の発光色を用いて可視化するように構成してもよい）。
【０１３５】
［第３の実施形態］
上記第１の実施形態では、モーション・センサ２３１の出力に基づいて、信号処理部２３２が振れ方向の変更タイミングを出力する構成について説明したが、本発明はこれに限定されない。
【０１３６】
例えばモーション・センサ２３１として加速度センサを用いた場合にあっては、信号処理部２３２において、電子体温計の振れ方向の変更位置ならびに振れ方向の変更位置からの距離を出力するように構成してもよい。
【０１３７】
更に、信号処理部２３２から、電子体温計の振れ方向の変更位置ならびに振れ方向の変更位置からの距離が出力されることに対応して、表示制御部２４４では、該振れ方向の変更位置からの距離に応じた発光を行うように発光部２５２を制御するよう構成してもよい。以下、本実施形態の詳細について説明する。なお、説明は、上記第１の実施形態と異なる点を中心に行うものとする。
【０１３８】
１．信号処理部における信号処理
はじめに、発光部２５２における発光開始／発光完了の位置を規定するための信号（振れ方向の変更位置を示す信号）ならびに該振れ方向の変更位置からの距離を示す信号を出力する信号処理部２３２における信号処理の内容について説明する。
【０１３９】
図１４は、信号処理部２３２における信号処理の内容を説明するための図である。図１４の（Ａ）は、モーション・センサ２３１が加速度センサである場合に、ユーザによって電子体温計１００が往復で振られた際のモーション・センサ２３１の出力を示した図である。
【０１４０】
上述したように、電子体温計１００では、横方向の往復の振れのうち、右振れの間、発光部２５２の各発光素子２５２Ａの発光を制御する。このため、信号処理部２３２では、左振れしていた電子体温計１００の振れ方向が右振れに変更された位置（振れ方向の変更位置）を検出する。また、右振れ中における振れ方向の変更位置からの距離を算出する。
【０１４１】
図１４の（Ａ）に示すように、電子体温計１００の往復の振れに応じて、加速度センサからは正弦波状の信号が出力される。
【０１４２】
このため、信号処理部２３２では、加速度センサより出力された信号の傾きがゼロになるタイミング（つまり、振れ速度がゼロになるタイミング）を検出する。
【０１４３】
ここで、加速度センサより出力された信号の傾きがゼロになるタイミングとしては、左振れしていた電子体温計１００の振れ方向が、右振れに変更されたタイミングと、右振れしていた電子体温計１００の振れ方向が、左振れに変更されたタイミングの、２種類がある。信号処理部２３２では、これら２種類のタイミングを抽出し、その信号（振れ方向の変更位置を示す信号）を表示制御部２４４に出力する。
【０１４４】
さらに、左振れしていた電子体温計１００の振れ方向が、右振れに変更されたタイミングにおける電子体温計１００の位置（振れ方向の変更位置１４０１）を基準位置として、加速度センサより出力された信号を２回積分することにより、もう一方の振れ方向の変更位置１４０２（右振れしていた電子体温計１００の振れ方向が、左振れに変更されたタイミングにおける電子体温計１００の位置）までの、該基準位置からの距離を算出する（図１４の（Ｂ）参照）。算出された基準位置からの距離を示す信号は、表示制御部２４４に出力される。
【０１４５】
なお、本発明は、振れ方向の変更位置からの距離を検出するモーション・センサ２３１として、上述のような加速度センサを用いることに限定されるものではなく、振れ方向の変更位置からの距離を検出することが可能であれば、他のセンサを用いてもよい。
【０１４６】
２．表示制御部において生成される発光ドットパターン
次に、表示制御部２４４において生成される発光ドットパターンについて説明する。図１５は、表示制御部２４４において生成される発光ドットパターンの一例を示す図である。
【０１４７】
図１５に示すように、発光ドットパターンは、発光素子により可視化される仮想的な表示領域における表示であり、配列された発光素子の数と、所定の方向に振られている間の発光素子の発光回数であるドット列数と、各ドット列の振れ方向の変更位置１４０１からの距離とにより規定される。
【０１４８】
図１５において、黒い丸及び白い丸は、電子体温計１００が横方向の振れに伴って移動した場合の、各発光タイミングにおける発光素子のＯＦＦ／ＯＮを示している。本実施形態では、１文字（ただし、「点」は除く）を表現するのに、横方向５ドット（５つの発光素子）と縦方向７ドット（７つの発光素子）とを用いるものとする。また、横方向の文字と文字の間には、２ドット列数分の発光素子の空白が設けられるものとする。
【０１４９】
このため、図１５（Ａ）に示すように、内部状態に関する情報として、例えば“ＷＡＩＴ”の４文字（“Ｗ”、“Ａ”、“Ｉ”、“Ｔ”）を表現するためには、
（１文字あたりの横方向ドット列数（＝５ドット））×４文字
＋（空白列のドット列数（＝２ドット））×２
＝３０ドット列数が必要となる。
【０１５０】
また、図１５（Ｂ）に示すように、体温に関する情報として、例えば“３８．５℃”の５文字（“３”、“８”、“．”、“５”及び“℃”）を可視化するためには、
（１文字あたりの横方向ドット列数（＝５ドット））×４文字
＋（「点」の横方向ドット列数（＝１ドット））×１文字
＋（空白列のドット列数（＝２ドット））×（５文字＋１）
＝３３ドット列数が必要となる。
【０１５１】
また、図１５（Ｃ）に示すように、体温に関する情報として、例えば、５回分の測定結果のトレンドグラフを可視化するためには、
（１つの棒グラフあたりの横方向ドット列数（＝５ドット））×５回
＋（空白列のドット列数（＝２ドット））×２
＝２９ドット列数が必要となる。
【０１５２】
つまり、電子体温計１００の右振れが開始してから完了するまでの間に、発光素子は、３０ドット列数、または３３ドット列数、または２９ドット列数からなる発光ドットパターンを出力することとなる。このとき各ドット列の発光位置は、各ドット列の振れ方向の変更位置からの距離により規定される。
【０１５３】
具体的には、可視化情報が“ＷＡＩＴ”の場合、
ｘ１＝（Ｌ／３０）×０
ｘ２＝（Ｌ／３０）×１
ｘ３＝（Ｌ／３０）×２
・・・
ｘ３０＝（Ｌ／３０）×２９
となる。
【０１５４】
また、可視化情報が、“３８．５℃”の場合、
ｘ１＝（Ｌ／３３）×０
ｘ２＝（Ｌ／３３）×１
ｘ３＝（Ｌ／３３）×２
・・・
ｘ３３＝（Ｌ／３３）×３２
となる。
【０１５５】
更に、可視化情報がトレンドグラフの場合、
ｘ１＝（Ｌ／２９）×０
ｘ２＝（Ｌ／２９）×１
ｘ３＝（Ｌ／２９）×２
・・・
ｘ２９＝（Ｌ／２９）×２８
となる。
【０１５６】
このように、表示制御部２４４では、電子体温計１００の内部状態に関する情報及び体温に関する情報を可視化するために以下のように動作する。
・発光部２５２において可視化すべき可視化情報を受信し、これを表現するための発光ドットパターンを生成する。
・発光ドットパターンにおいて各ドット列の振れ方向の変更位置からの距離を規定する。
・信号処理部２３２から出力された振れ方向の変更位置を示す信号の出力を発光開始位置として制御を開始し、信号処理部２３２から出力された振れ方向の変更位置からの距離を示す信号が、規定された各ドット列の振れ方向の変更位置からの距離と一致した場合に、各発光素子を、対応するドット列に従って発光させる。
【０１５７】
なお、所定のドット列に基づく発光は、電子体温計１００が次のドット列に基づく発光が行われる位置に到達するまでの間、継続される。
【０１５８】
３．発光開始から発光完了までの発光制御処理の内容
次に、本実施形態における発光開始から発光完了までの表示制御部２４４における発光制御処理の内容について説明する。
【０１５９】
図１６は、表示制御部２４４における、発光開始から発光完了までの発光制御処理の内容を説明するための図である。図１６において、（Ａ）は振れ方向の変更位置において発光を開始した状態を示している。また、（Ｂ）及び（Ｃ）は、振れ幅Ｌの１／３の位置に到達した状態及び２／３の位置に到達した状態をそれぞれ示している。さらに、（Ｄ）は振れ幅Ｌの位置に到達し、発光が完了した状態を示している。
【０１６０】
同様に、図１７は、表示制御部２４４における、発光開始から発光完了までの発光制御処理の内容を説明するための図である。本実施形態において用いられる発光ドットパターンは、振れ幅（Ｌ１）に応じて各ドット列の振れ方向の変更位置からの距離を規定しているため、図１７の場合、図１６の場合と比較して、表現される文字の大きさ（横方向の大きさ）は、小さくなる。
【０１６１】
同様に、図１８は、表示制御部２４４における、発光開始から発光完了までの発光制御処理の内容を説明するための図である。本実施形態において用いられる発光ドットパターンは、振れ幅（Ｌ２）に応じて各ドット列の振れ方向の変更位置からの距離を規定しているため、図１６の場合と比較して、表現される文字の大きさ（横方向の大きさ）は、大きくなる。
【０１６２】
このように、本実施形態の場合、信号処理部２３２からの信号（振れ方向の変更位置）の出力を発光開始位置として制御を開始し、規定された振れ方向の変更位置からの距離に到達するごとに、対応するドット列に従って各発光素子を順次発光させていくため、ユーザが電子体温計を振る場合に生じる、振れ幅や振れ速度のばらつきを吸収することができる。また、第１の実施形態と同様に、体温値以外の情報についても、容易に視認することができるようになる。
【０１６３】
４．可視化処理の流れ
次に、図１９を用いて、設定された可視化情報を発光部２５２において可視化するための表示制御部２４４における処理の流れについて説明する。図１９に示すフローチャートは、ＯＮ／ＯＦＦスイッチ１０４が押下されると、上述した体温測定処理及び可視化情報制御処理と並行して実行される。
【０１６４】
ステップＳ１００１〜ステップＳ１００２に示す処理は、図１０のステップＳ１００１〜ステップＳ１００２に示す処理と同じであるため、ここでは説明を省略する。
【０１６５】
ステップＳ１９０３では、信号処理部２３２からの信号（振れ方向の変更位置を示す信号）に基づいて、電子体温計１００の振れ幅を算出する。
【０１６６】
ステップＳ１９０４では、測定された体温の予測値に基づいて、発光部２５２において可視化すべき可視化情報を表現するための発光ドットパターンを生成する。このとき、各ドット列の振れ方向の変更位置からの距離を、ステップＳ１９０３において算出された振れ幅に基づいて規定する。
【０１６７】
ステップＳ１９０５では、信号処理部２３２からの信号に基づいて、電子体温計１００の振れ方向の変更位置を識別する。
【０１６８】
ステップＳ１９０６では、ステップＳ１９０５において識別された振れ方向の変更位置を基準として制御を開始する。具体的には、信号処理部２３２からの信号（振れ方向の変更位置からの距離を示す信号）が、ステップＳ１９０４において生成された発光ドットパターンを構成する各ドット列について規定された距離に一致した場合に、対応するドット列に従って、各発光素子を発光させる。
【０１６９】
ステップＳ１００７に示す処理は、図１０のステップＳ１００７に示す処理と同じであるため、ここでは説明を省略する。
【０１７０】
以上の説明から明らかなように、本実施形態に係る電子体温計では、配列された複数の発光素子を備える発光部２５２と、電子体温計１００の振れを検出するモーション・センサ２３１と、各発光素子の発光を制御する表示制御部２４４とを備える構成とした。
【０１７１】
そして、電子体温計が横方向に往復で振られている際に、各発光素子の発光を適切に制御することで、電子体温計１００の内部状態に関する情報または被検者の体温に関する情報を空間上で視認できる構成とした。
【０１７２】
この結果、電子体温計において、体温を測定する際の利便性を損なうことなく、ユーザにとってより見やすい表示を実現することが可能となった。特に、当該電子体温計によれば、体温値以外の情報についても、容易に視認できるようになる。
【０１７３】
［第４の実施形態］
上記第３の実施形態では、発光素子として１種類の発光素子を用い、電子体温計の内部状態に関する情報または被検者の体温に関する情報を単色で可視化することを前提としたが、本発明はこれに限定されない。
【０１７４】
上記第２の実施形態と同様に、互いに発光色の異なる複数の発光素子を組み合わせ、複数の発光色を放射できるように構成し、例えば、電子体温計の内部状態に関する情報と、被検者の体温に関する情報とで、異なる発光色により可視化処理させるようにしてもよい。
【０１７５】
あるいは、可視化情報を、それぞれ異なる発光色により、または特定の可視化情報についてのみ異なる発光色により可視化するように構成してもよい。
【０１７６】
あるいは、特定の発光ドットパターンのうち、特定のドットについて、異なる発光色により発光するよう構成してよい（つまり、一つの発光ドットパターンを、複数の発光色を用いて可視化するように構成してもよい）。
【０１７７】
［第５の実施形態］
上記第１乃至第４の実施形態では、発光素子としてＬＥＤを用いる場合について説明したが、本発明はこれに限定されず、例えば、有機ＥＬ等、他の発光素子を用いるようにしてもよい。
【０１７８】
また、上記第１乃至第４の実施形態では、発光部により可視化された被検者の体温に関する情報として、予測された体温を用いる場合について説明したが、本発明はこれに限定されず、実測された体温を用いるようにしてもよい。
【０１７９】
また、上記第１乃至４の実施形態では、各文字を均等に配置するように発光ドットパターンを生成することとしたが、本発明はこれに限定されず、不均等に配置してもよいし、全体として右寄りに（あるいは左寄り）に配置するように構成してもよい。
【図１】
2010223835.tif 000003
【図２】
2010223835.tif 000004
【図４】
2010223835.tif 000005
【図５】
2010223835.tif 000006
【図６】
2010223835.tif 000007
【図７】
2010223835.tif 000008
【図８】
2010223835.tif 000009
【図９】
2010223835.tif 000010
【図１０】
2010223835.tif 000011
【図１１】
2010223835.tif 000012
【図１２】
2010223835.tif 000013
【図１３】
2010223835.tif 000014
【図１４】
2010223835.tif 000015
【図１５】
2010223835.tif 000016
【図１６】
2010223835.tif 000017
【図１７】
2010223835.tif 000018
【図１８】
2010223835.tif 000019
【図１９】
2010223835.tif 000020
【図３】
2010223835.tif 000021